(57)【要約】  加熱調理器（１１１）であって、被加熱物を加熱する加熱部（１０１）と、被加熱物を収納する加熱室（１０２）と、加熱室（１０２）内に光を照射する照明部（１０３ａ〜１０３ｄ）と、加熱室（１０２）内の画像を撮影する撮像部（１０４）と、被加熱物の輪郭を表示する表示部（１０５）と、撮像部（１０４）から被加熱物の画像を取得する画像取得部（１０６）とを備えている。加熱調理器（１１１）は、さらに、画像取得部（１０６）で得られた画像を用いて、被加熱物の複数の輪郭候補を生成する輪郭候補生成部（１０７）と、複数の輪郭候補から、画像取得部（１０６）で得られた画像を用いて、表示部（１０５）に表示する輪郭を決定する提示輪郭決定部（１０８）と、輪郭毎に、加熱目標を設定する加熱目標設定部（１１２）と、全体動作を制御する制御部（１０９）と、を備えている。
2019208284.tif 000002
【特許請求の範囲】
【請求項１】
被加熱物を加熱する加熱部と、
前記被加熱物を収納する加熱室と、
前記加熱室内に光を照射する照明部と、
前記加熱室内の画像を撮影する撮像部と、
前記被加熱物の輪郭を表示する表示部と、
前記撮像部から前記被加熱物の画像を取得する画像取得部と、
前記画像取得部で得られた前記画像を用いて、前記被加熱物の複数の輪郭候補を生成する輪郭候補生成部と、
前記輪郭候補生成部で得られた前記複数の輪郭候補から、前記画像取得部で得られた前記画像を用いて、前記表示部に表示する輪郭を決定する提示輪郭決定部と、
前記提示輪郭決定部で決定された輪郭毎に、加熱目標を設定する加熱目標設定部と、
全体動作を制御する制御部と、
を備えた、加熱調理器。
【請求項２】
前記提示輪郭決定部が提示する前記輪郭内の食品認識を行う食品認識部と、
前記食品認識部の認識結果に基づき、表示温度を確定する表示温度確定部と、
をさらに備えた
請求項１に記載の加熱調理器。
【発明の詳細な説明】
【技術分野】
【０００１】
本開示は、食品等を加熱調理するための加熱調理器に関する。
【背景技術】
【０００２】
加熱室を有する加熱調理器において、被加熱物である食品の大きさを確認できるように、加熱室内を撮像する撮像部が設けられたものがある（例えば、特許文献１参照）。また、被加熱物である食品の状態等を確認できるように、加熱室内を撮像する撮像部で撮影された画像を元に、色の変化を抽出し、調理中の食品状態である、食品の焦げ具合を認識して判断する加熱調理器がある（例えば、特許文献２参照）。【０００３】
しかしながら、特許文献１，２に見られる、従来の加熱調理器においては、撮影画像を用いて加熱状態を確認して自動制御が行われる。これにより、使用者は、開始指示を行っても、加熱調理器に仕上がりを任せることしかできず、加熱調理器に対して、加熱調理前に、被加熱物の調理意図を容易に指示することができない。
【先行技術文献】
【特許文献】
【０００４】
【特許文献１】実開昭５９−４０７１４号公報
【特許文献２】特開２００１−２７２０４５号公報
【発明の概要】
【０００５】
本開示は、使用者が、被加熱物に応じた加熱指示を容易に設定することの可能な表示操作を行うことのできる加熱調理器を提供する。
【０００６】
本開示の加熱調理器は、被加熱物を加熱する加熱部と、被加熱物を収納する加熱室と、加熱室内に光を照射する照明部と、加熱室内の画像を撮影する撮像部と、被加熱物の輪郭を表示する表示部と、撮像部から被加熱物の画像を取得する画像取得部と、画像取得部で得られた画像を用いて、被加熱物の複数の輪郭候補を生成する輪郭候補生成部とを備える。また、加熱調理器は、輪郭候補生成部で得られた複数の輪郭候補から、画像取得部で得られた画像を用いて、表示部に表示する輪郭を決定する提示輪郭決定部と、提示輪郭決定部で決定された輪郭毎に、加熱目標を設定する加熱目標設定部と、全体動作を制御する制御部と、を備える。
【０００７】
これにより、使用者への提示輪郭を決定し、表示部を通して使用者に提示し、使用者の意図する輪郭を獲得し、表示部を通して輪郭毎の加熱目標を表示することができる。そして、提示輪郭決定部で決定された輪郭毎に加熱指示を設定する加熱目標設定部を設けることで、使用者が、被加熱物に応じた加熱指示を容易に設定することの可能な表示操作を提供することができる。
【０００８】
また、提示輪郭決定部が提示する輪郭内の食品認識を行う食品認識部の認識結果に基づき、表示温度を確定する表示温度確定部を備えることで、食品に応じた初期値を予め使用者に提示することができ、加熱指示を、より容易に設定することの可能な表示操作を提供することができる。
【０００９】
本開示の加熱調理器によれば、使用者が被加熱物に応じた加熱指示を容易に設定することの可能な表示操作を提供することができる。
【図面の簡単な説明】
【００１０】
【図１】図１は、本開示の第1の実施の形態における加熱調理器の主要部を示す概略構成図である。
【図２】図２は、第1の実施の形態の加熱調理器における輪郭作成の手順を説明する図である。
【図３】図３は、第1の実施の形態の加熱調理器における加熱目標表示決定手順を説明する図であり、（ａ）は元画像を示す図、（ｂ）は輪郭画像を示す図、（ｃ）は輪郭表示位置を示す図、（ｄ）は加熱目標表示画像を示す図である。
【図４】図４は、第1の実施の形態の加熱調理器における輪郭提示の流れを説明する図である。
【図５】図５は、本開示の第２の実施の形態における加熱調理器の主要部を示す概略構成図である。
【図６】図６は、本開示の第２の実施の形態の加熱調理器における加熱目標表示を説明する図であり、（ａ）は元画像を示す図、（ｂ）は食品認識結果を示す図、（ｃ）は加熱目標表示画像を示す図である。
【発明を実施するための形態】
【００１１】
本開示の一態様の加熱調理器は、被加熱物を加熱する加熱部と、被加熱物を収納する加熱室と、加熱室内に光を照射する照明部と、加熱室内の画像を撮影する撮像部と、被加熱物の輪郭を表示する表示部と、撮像部から被加熱物の画像を取得する画像取得部とを備えている。また、加熱調理器は、画像取得部で得られた画像を用いて、被加熱物の複数の輪郭候補を生成する輪郭候補生成部と、輪郭候補生成部で得られた複数の輪郭候補から、画像取得部で得られた画像を用いて、表示部に表示する輪郭を決定する提示輪郭決定部とを備えている。また、加熱調理器は、提示輪郭決定部で決定された輪郭毎に、加熱目標を設定する加熱目標設定部と、全体動作を制御する制御部と、を備えている。
【００１２】
これにより、使用者への提示輪郭を決定し、表示部を通して使用者に提示し、使用者の意図する輪郭を獲得して、表示部を通して輪郭毎の加熱目標を表示する。提示輪郭決定部で決定された輪郭毎に、加熱指示を設定する加熱目標設定部を設けることで、使用者が被加熱物に応じた加熱指示を容易に設定することが可能な表示操作を提供することができる。
【００１３】
本開示の他の態様は、さらに、提示輪郭決定部が提示する輪郭内の食品認識を行う食品認識部と、食品認識部の認識結果に基づき、表示温度を確定する表示温度確定部とを備えた加熱調理器であってもよい。
【００１４】
このような構成によれば、さらに、提示輪郭決定部が提示する輪郭内の食品認識を行う食品認識部の認識結果に基づき、表示温度を確定する表示温度確定部を備えることで、食品に応じた初期値を予め使用者に提示することができる。よって、加熱指示を、より容易に設定することの可能な表示操作を提供することができる。
【００１５】
以下、本開示の実施の形態について、図面を参照しながら説明する。なお、この実施の形態によって、本開示が限定されるものではない。
【００１６】
（第1の実施の形態）
図１は、本開示の第1の実施の形態における加熱調理器の主要部を示す概略構成図である。
【００１７】
図１に示すように、加熱調理器１１１は、被加熱物１１０を内部に収納する加熱室１０２を備え、ヒーター、マイクロ波発生部および過熱蒸気発生部などのうち、少なくとも一つを含む加熱部１０１により、被加熱物１１０を加熱調理できるように構成されている。加熱部１０１に含まれるマイクロ波発生部は、フェイズドアレイアンテナを含んで構成され、所定加熱位置にマイクロ波ビームを集中させることが可能であり、加熱しない領域を設定することも可能である。
【００１８】
加熱室１０２は、壁面（上壁面、左壁面、奥壁面、右壁面、底壁面）と、ドア（図示せず）とから構成された略直方体形状である。加熱室１０２の壁面は、例えば、ホウロウ鋼板、ステンレス鋼板または塗装鋼板などの材料により形成されている。直方体形状の加熱室１０２の寸法は、一例として、幅が４００ｍｍ、奥行きが３００ｍｍである。加熱室１０２の左壁面には、撮像部１０４として、部分的に絞り加工で形成された斜面が形成されるとともに、加熱室１０２内部の被加熱物１１０を見下ろしてカメラで撮影できる構成が配設されている。また、加熱室１０２の壁面には、ＬＥＤ（発光ダイオード）によって構成された照明部１０３ａ〜１０３ｄが配設されている。これにより、加熱室１０２の内部にある被加熱物１１０を、撮像部１０４で撮影するための光量が確保されている。
【００１９】
制御部１０９は、ＣＰＵ（中央演算処理装置）、メモリおよび入出力インターフェース等を有するマイクロコンピュータ（図示せず）を用いて構成されている。制御部１０９は、画像取得部１０６、輪郭候補生成部１０７、提示輪郭決定部１０８および加熱目標設定部１１２を有している。
【００２０】
画像取得部１０６は、撮像部１０４と電気的に接続され、撮像部１０４が撮影し、取得した、加熱室１０２内の画像データを取得する。
【００２１】
輪郭候補生成部１０７は、画像取得部１０６が取得した画像を元に、複数の輪郭候補を生成する。
【００２２】
加熱目標設定部１１２は、提示輪郭決定部１０８が決定する提示輪郭の重心位置を演算し、加熱目標設定用の目標温度または加熱終了判定用の目標色を提示する表示位置として定める。
【００２３】
表示部１０５は、制御部１０９と電気的に接続された液晶ディスプレイで構成され、画像取得部１０６を通して得られた加熱室１０２内の画像、および、提示輪郭決定部１０８で決定された輪郭を使用者に提示する。これと共に、表示部１０５は、加熱目標設定部１１２が決定した表示位置に設定内容を表示し、使用者に設定入力を促す。
【００２４】
以上のように構成された加熱調理器について、以下、その動作および作用を説明する。
【００２５】
説明においては、基本的な動作から応用までの内容を下記の順番で説明する。
【００２６】
（１）被加熱物の輪郭生成プロセスと輪郭提示の課題
（２）輪郭決定および加熱目標設定プロセス
（３）加熱目標設定プロセス
（４）全体動作
なお、説明においては、基本的に画像取得部１０６が取得する画像を、色の３原色であるＲｅｄ（赤）、Ｇｒｅｅｎ（緑）、Ｂｌｕｅ（青）が、それぞれ８ビット（０〜２５５）で表現された、２４ビットカラーの画像として説明する。画像データの色については、（Ｒ，Ｇ，Ｂ）＝（Ｒ数値、Ｇ数値、Ｂ数値）として表現する。ＲＧＢの数値は、０が黒、２５５に近づくほど各色が純粋な色となり、ＲＧＢを混合することで、約１６７７万通りの色を表現できる。例えばＲＧＢ＝（２５５，０，０）は赤色、ＲＧＢ＝（２５５，２５５，０）は青と緑とが混合されてできる黄色、ＲＧＢ＝（０，０，０）は黒色、ＲＧＢ＝（２５５，２５５，２５５）は白色になる。
【００２７】
（１）被加熱物の輪郭生成プロセスと輪郭提示の課題
図２は、第1の実施の形態の加熱調理器における輪郭作成の手順を説明する図である。
【００２８】
図２を用いて、被加熱物１１０の撮影画像２０１から輪郭画像２０４ａ，２０４ｂ（以下、まとめて輪郭画像２０４と呼ぶこともある）を得るプロセスを説明する。
【００２９】
まず、色のついた撮影画像２０１は、グレースケール化画像２０２（例えば、８ビットグレースケール）に変換された後、グレースケールの階調を２値化するための閾値が定められ（例えば、８ビットグレースケールの場合は、２５６階調のうち、中央値である１２８以上など）、閾値以上を白、閾値より下を黒とする。これにより、２値化画像２０３が取得される。得られた２値化画像２０３において、白と黒との境界を繋ぐ境界線を描くことで、被加熱物１１０の輪郭を取得することができる。
【００３０】
ここで課題となるのは、２値化画像２０３を取得する際の閾値の選択によって、輪郭が大きく変化することである。閾値ａによって、２値化画像２０３ａから得られた輪郭画像２０４ａと、閾値ｂによって、２値化画像２０３ｂから得られた輪郭画像２０４ｂのどちらが正解であるか、画像処理結果として出力される輪郭画像２０４の正当性を判断するのは困難である。
【００３１】
一方で、被加熱物１１０を普通に撮影した撮影画像２０１は、当然多くの階調を含んでいるため、工学的には、グレースケールの階調数の輪郭バリエーションが存在することになる。輪郭が画一的な条件で得られるように、閾値を１つに固定しまうと、例えば、白いクッキングシートが敷かれた上に、パン生地のような白い被加熱物１１０が置かれているような場合には、被加熱物１１０と背景とが一体化してしまい、正しい輪郭を得られなくなる。
【００３２】
よって、正しい輪郭候補を得るためには、輪郭候補を使用者に提示して、使用者に確認してもらうステップを踏む必要がある。使用者の確認なく輪郭を得て自動処理をする加熱調理器１１１は、少なくない頻度で、使用者意図から外れた誤動作を起こす可能性を有する。
【００３３】
この場合、装置が、使用者の操作負担を減らす仕組みを持つことが重要である。本実施の形態においては、輪郭候補生成部１０７が輪郭バリエーションを作り、提示輪郭決定部１０８が、撮影画像２０１が得られた状況に合わせた輪郭を、表示部１０５を通じて、優先順位を考慮して使用者に提示し、承認を求める。これにより、使用者の操作負担を低減することができる。
【００３４】
（２）輪郭決定プロセス
制御部１０９が、提示輪郭決定部１０８に、閾値決定の指示を出す。そうすると、提示輪郭決定部１０８は、撮影画像２０１のＲＧＢ値の分布を確認し、撮影画像が、ＲＧＢ値の数値が高めの明るい画像（ＲＧＢ＝（２５５，２５５，２５５）が最も明るい白色を示す）であるか、数値が低めの暗い画像（ＲＧＢ＝（０，０，０）が最も暗い黒色を示す）であるかを判定する。例えば、提示輪郭決定部１０８は、階調の中央値である１２８を超えている画素数の割合を、所定値と比較する。この情報を用いることで、２値化閾値を適切に設定し、背景と被加熱物１１０の輪郭とが一体化してしまうことを防ぐことができる。
【００３５】
提示輪郭決定部１０８は、基本閾値として、白黒のバランスが同等の場合には、中央値の閾値（例えば、１２８）を選択し、白が多い場合には、閾値を高く（例えば、１６０）、黒が多い場合には、閾値を低く（例えば、９６）、それぞれ設定する。提示輪郭決定部１０８は、得られた基本閾値から、所定値間隔（例えば、±２０、±４０）の２値化閾値を用いて、輪郭候補生成部１０７に、輪郭候補作成を行うように要求する。
【００３６】
輪郭候補生成部１０７は、設定された閾値を用いて、既述の手段で要求された閾値における輪郭画像２０４を作成する。
【００３７】
ここで得られた輪郭画像には、加熱室１０２内部のしぼり加工等の輪郭といった、被加熱物１１０以外の輪郭が混ざっている。そこで、得られた輪郭画像から、被加熱物１１０が入っていない時に得られる輪郭（予め初期情報として記憶しておく）を引き算することで被加熱物１１０以外の輪郭を除去する。提示輪郭決定部１０８は、ここで得られた、輪郭画像の輪郭個数および輪郭面積を判断して、使用者に提示する輪郭の優先順位を決定する。
【００３８】
例えば、得られた複数輪郭画像の個数に違いがなければ、基本閾値を第１候補とし、以下の候補を、基本閾値に近い順に提示する（例えば、＋２０，−２０，＋４０，―４０の順序）。得られた複数輪郭において、基本閾値の輪郭個数が少ない場合には、輪郭と背景とが一体化している可能性があると判断し、個数が多い輪郭画像の優先順位を高く設定する（同一の場合は、基本閾値に近い順で提示する）。
【００３９】
提示輪郭の優先順位が確定したら、提示輪郭決定部１０８は、制御部１０９に輪郭画像を引き渡す。これにより、輪郭決定プロセスを完了する。
【００４０】
なお、輪郭候補生成部１０７が輪郭候補を作成する際は、閾値の変更ではなく、撮影された画像情報のパラメータを変更することによっても、同様の作用を得ることができる。これは、閾値を一定にしたまま、ＲＧＢの各要素を（Ｒ＋加算値，Ｇ＋加算値，Ｂ＋加算値）というように一律加算したり、減算（Ｒ−減算値，Ｇ−減算値，Ｂ−減算値）のように、一律減算したりすることで実現できる。
【００４１】
特に黒が多い場合は、黒い影による影響を受けやすくなるので、ＲＧＢ値の小さい部分に一定掛け率を適用することで、影の影響を緩和できる。例えば、１００以下の値は、最大値を１００として１．２倍にする。ＲＧＢ＝（６０，９０，１００）に適用すると、１．２倍の演算結果は（７２，１０８，１２０）となるので、１００以上の値を一律に１００にすると、（７２，１００，１００）となる。以上のように画像情報パラメータを操作すると、暗い部分を薄めて、影による影響を緩和することができる。
【００４２】
（３）加熱目標設定プロセス
図３は、第1の実施の形態の加熱調理器における加熱目標表示決定手順を説明する図であり、図３の（ａ）は元画像を示す図、図３の（ｂ）は輪郭画像を示す図、図３の（ｃ）は輪郭表示位置を示す図、図３の（ｄ）は加熱目標表示画像を示す図である。
【００４３】
上述の（２）で述べたような動作により、提示輪郭決定部１０８が、図３の（ａ）に示す元画像から、図３の（ｂ）に示す輪郭画像のような輪郭を決定する。その後、加熱目標設定部１１２は、制御部１０９の指示により、得られた輪郭画像の、図３の（ｂ）から図３の（ｃ）に示すように、輪郭表示位置のような輪郭個数を確認（図３では、輪郭３個）し、重心位置（輪郭表示位置における『×』表示位置）を演算する。
【００４４】
次に、加熱目標設定部１１２は、制御部１０９に、輪郭個数、および、各輪郭毎の重心位置の情報を提供する。制御部１０９は、使用者が必要に応じて加熱目標の設定を変更できるよう、図３の（ｄ）に示すように、表示部１０５を通して、輪郭毎の加熱目標となる設定温度（または、加熱終了目標色）を、加熱目標表示画像に表示する。
【００４５】
（４）全体動作
図４は、第1の実施の形態の加熱調理器における輪郭提示の流れを説明する図である。
【００４６】
使用者により、被加熱物１１０が加熱室１０２内に載置されると、制御部１０９は、画像取得部１０６により、撮像部１０４が撮影している被加熱物１１０の画像を取得する。制御部１０９は、得られた被加熱物１１０の撮影画像を提示輪郭決定部１０８に引き渡し、使用者へ提示する輪郭およびその提示順序決定を要求する。提示輪郭決定部１０８は、上述の動作により、輪郭候補生成部１０７を用いて、使用者への提示輪郭を優先順位と共に決定し、制御部１０９に引き渡す。
【００４７】
制御部１０９は、図４に示すように、得られた提示輪郭を、優先順位に従って、第1候補の輪郭画像４０１、第２候補の輪郭画像４０２、第３候補の輪郭画像４０３の順に、表示部１０５を通して、使用者に提示して承認を受けることで、使用者の意図する輪郭を獲得する。なお、ここでは、使用者に分かり易いように、輪郭画像を撮影画像に重ねて表示している。また、図４においては、使用者目線でみれば明らかなように、第２候補が正しい輪郭となる。
【００４８】
制御部１０９は、ここで確定された輪郭画像を加熱目標設定部１１２に引き渡し、輪郭の個数と各輪郭の重心位置を取得する。制御部１０９は、取得した情報を基に、使用者が必要に応じて加熱目標の設定を変更できるように、表示部１０５を通して、輪郭毎に、加熱目標となる設定温度（または、加熱終了目標色）を表示する。
【００４９】
ここで、得られた初期輪郭および加熱目標を基に、制御部１０９は、加熱部１０１により被加熱物１１０の加熱を行い、初期輪郭からの輪郭変化、ならびに、加熱目標として設定された輪郭内部の温度および色の変化等をモニタすることで、輪郭を活用した加熱停止判断を行う。
【００５０】
なお、使用者から非承認の回答を複数回受けた場合、何度も承認を求める方が、使用者の利便性を阻害する場合もある。このため、使用者に表示部１０５の画像をなぞらせる等の手段で、輪郭を直接取得してもよい。
【００５１】
以上のように、本実施の形態においては、提示輪郭決定部１０８で決定された輪郭毎に加熱指示を設定する加熱目標設定部１１２を設けることで、使用者が、被加熱物１１０に応じた加熱指示を容易に設定することの可能な表示操作を提供することができる。
【００５２】
（第２の実施の形態）
図５は、本開示の第２の実施の形態における加熱調理器の主要部を示す概略構成図であり、図６は、同加熱調理器における加熱目標表示を説明する図であり、図６の（ａ）は元画像を示す図、図６の（ｂ）は食品認識結果を示す図、図６の（ｃ）は加熱目標表示画像を示す図である。
【００５３】
以下、本開示に係る第２の実施の形態の加熱調理器について説明する。
【００５４】
第２の実施の形態の加熱調理器において、前述の第1の実施の形態の加熱調理器と大きく異なる点は、提示輪郭決定部１０８が提示する輪郭内の食品認識を行う食品認識部５０１と、食品認識部５０１の認識結果に基づき表示温度を確定する表示温度確定部５０２とを備えている点である。
【００５５】
食品認識部５０１としては、画像取得部１０６で得られた画像から、加熱室１０２内に載置された被加熱物１１０である食品を特定できるように学習を完了したニューラルネットワークを有するマイクロコンピュータ（図示せず）を用いる。また、表示温度確定部５０２としては、食品認識部５０１が認識し特定した食品に対する推奨目標温度を記憶したマイクロコンピュータ（図示せず）を用いる。
【００５６】
以下の加熱調理器の説明においては、第1の実施の形態の加熱調理器における構成要素と同じ機能、構成を有するものには同じ符号を付し、その詳細な説明は第1の実施の形態の説明を援用する。
【００５７】
使用者により、被加熱物１１０が加熱室１０２内に載置されると、制御部１０９は、画像取得部１０６により、撮像部１０４が撮影している被加熱物１１０の画像を取得する。制御部１０９は、得られた被加熱物１１０の撮影画像を提示輪郭決定部１０８に引き渡し、使用者へ提示する輪郭およびその提示順序決定を要求する。提示輪郭決定部１０８は、上述の動作により、輪郭候補生成部１０７を用いて、使用者への提示輪郭を優先順位と共に決定し、制御部１０９に引き渡す。制御部１０９は、輪郭画像を加熱目標設定部１１２に引き渡し、輪郭の個数と各輪郭の重心位置を取得する。
【００５８】
ここで、制御部１０９は、食品認識部５０１に、提示輪郭および撮影画像を引き渡し、食品認識部５０１は、提示輪郭内の食品の認識を実行する。食品認識部５０１は、結果として得られた食品の種類を、表示温度確定部５０２に引き渡し、表示温度確定部５０２から、認識した食品の加熱目標として表示する温度を取得する。
【００５９】
ここで、図６の（ａ）に示すような元画像から認識された食品が、図６の（ｂ）に示す食品認識結果のような、サラダおよびトマトといった、通常は加熱されない食品であった場合には、図６の（ｃ）に示す加熱目標表示のように、加熱目標として『非加熱』という目標値が表示される。もちろん、使用者が生野菜を加熱したい場合には、温度設定を行うことで、加熱に切り替えることが可能である。
【００６０】
制御部１０９は、取得した情報を基に、表示部１０５を通して、輪郭毎の加熱目標として、表示温度確定部５０２が確定した温度を輪郭重心位置に表示する。
【００６１】
ここで、得られた初期輪郭および加熱目標を基に、制御部１０９は、加熱部１０１を用いて被加熱物１１０の加熱を行い、初期輪郭からの輪郭変化、および、加熱目標として設定された輪郭内部の温度のうち、少なくともいずれかをモニタすることで、輪郭を活用した加熱停止判断を行う。また、加熱目標が『非加熱』である場合、加熱部１０１は『非加熱』対象の食品にマイクロ波を放射しないように加熱動作を行う。これにより『非加熱』状態が実現される。
【００６２】
以上のように、本実施の形態は、提示輪郭決定部１０８が提示する輪郭内の食品認識を行う食品認識部５０１の認識結果に基づき、表示温度を確定する表示温度確定部５０２を備える。これにより、食品に応じた初期値を予め使用者に提示することができ、加熱指示を、より容易に設定することの可能な表示操作を提供できる。
【産業上の利用可能性】
【００６３】
以上のように、本開示によれば、使用者が、被加熱物に応じた加熱指示を容易に設定することの可能な表示操作を行うことができる、という格別な効果を奏することができる。よって、本開示は、被加熱物の形状を輪郭として認識し、個別に加熱目標を設定して加熱調理を行うオーブン、グリルおよび加熱スチーム等の加熱調理器に適用可能である。さらに、被加熱物の色変化または形状変化を認識することが有益に作用する、乾燥装置および化学反応装置などの各種工業用途における加熱装置等にも適用可能であり、有用である。
【符号の説明】
【００６４】
１０１    加熱部
１０２    加熱室
１０３ａ〜１０３ｄ    照明部
１０４    撮像部
１０５    表示部
１０６    画像取得部
１０７    輪郭候補生成部
１０８    提示輪郭決定部
１０９    制御部
１１０    被加熱物
１１１    加熱調理器
１１２    加熱目標設定部
２０１    撮影画像
２０２    グレースケール化画像
２０３    ２値化画像
２０３ａ    ２値化画像（閾値ａ）
２０３ｂ    ２値化画像（閾値ｂ）
２０４    輪郭画像
２０４ａ    輪郭画像（閾値ａ）
２０４ｂ    輪郭画像（閾値ｂ）
４０１    輪郭画像（第１候補）
４０２    輪郭画像（第２候補）
４０３    輪郭画像（第３候補）
５０１    食品認識部
５０２    表示温度確定部
【図１】
2019208284.tif 000003
【図２】
2019208284.tif 000004
【図３】
2019208284.tif 000005
【図４】
2019208284.tif 000006
【図５】
2019208284.tif 000007
【図６】
2019208284.tif 000008
【手続補正書】
【提出日】令和2年9月9日(2020.9.9)
【手続補正１】
【補正対象書類名】明細書
【補正対象項目名】０００６
【補正方法】変更
【補正の内容】
【０００６】
本開示の加熱調理器は、被加熱物を加熱する加熱部と、被加熱物を収納する加熱室と、加熱室内に光を照射する照明部と、加熱室内の画像を撮影する撮像部と、被加熱物の輪郭を表示する表示部と、撮像部から被加熱物の画像を取得する画像取得部と、画像取得部で得られた画像から、被加熱物の複数の輪郭候補を生成する輪郭候補生成部とを備える。また、加熱調理器は、輪郭候補生成部で得られた複数の輪郭候補から、画像取得部で得られた画像に基づいて、表示部に表示する輪郭を決定する提示輪郭決定部と、提示輪郭決定部で決定された輪郭毎に、加熱目標を設定する加熱目標設定部と、全体動作を制御する制御部と、を備える。
【手続補正２】
【補正対象書類名】明細書
【補正対象項目名】００１１
【補正方法】変更
【補正の内容】
【００１１】
本開示の一態様の加熱調理器は、被加熱物を加熱する加熱部と、被加熱物を収納する加熱室と、加熱室内に光を照射する照明部と、加熱室内の画像を撮影する撮像部と、被加熱物の輪郭を表示する表示部と、撮像部から被加熱物の画像を取得する画像取得部とを備えている。また、加熱調理器は、画像取得部で得られた画像から、被加熱物の複数の輪郭候補を生成する輪郭候補生成部と、輪郭候補生成部で得られた複数の輪郭候補から、画像取得部で得られた画像に基づいて、表示部に表示する輪郭を決定する提示輪郭決定部とを備えている。また、加熱調理器は、提示輪郭決定部で決定された輪郭毎に、加熱目標を設定する加熱目標設定部と、全体動作を制御する制御部と、を備えている。
【手続補正３】
【補正対象書類名】明細書
【補正対象項目名】００２６
【補正方法】変更
【補正の内容】
【００２６】
（１）被加熱物の輪郭生成プロセスと輪郭提示の課題
（２）輪郭決定プロセス
（３）加熱目標設定プロセス
（４）全体動作
なお、説明においては、基本的に画像取得部１０６が取得する画像を、色の３原色であるＲｅｄ（赤）、Ｇｒｅｅｎ（緑）、Ｂｌｕｅ（青）が、それぞれ８ビット（０〜２５５）で表現された、２４ビットカラーの画像として説明する。画像データの色については、（Ｒ，Ｇ，Ｂ）＝（Ｒ数値、Ｇ数値、Ｂ数値）として表現する。ＲＧＢの数値は、０が黒、２５５に近づくほど各色が純粋な色となり、ＲＧＢを混合することで、約１６７７万通りの色を表現できる。例えばＲＧＢ＝（２５５，０，０）は赤色、ＲＧＢ＝（２５５，２５５，０）は赤と緑とが混合されてできる黄色、ＲＧＢ＝（０，０，０）は黒色、ＲＧＢ＝（２５５，２５５，２５５）は白色になる。
【手続補正４】
【補正対象書類名】明細書
【補正対象項目名】００３５
【補正方法】変更
【補正の内容】
【００３５】
提示輪郭決定部１０８は、基本閾値として、白の領域と黒の領域とがバランスしている場合には、中央値の閾値（例えば、１２８）を選択し、白が多い場合には、閾値を高く（例えば、１６０）、黒が多い場合には、閾値を低く（例えば、９６）、それぞれ設定する。提示輪郭決定部１０８は、得られた基本閾値、および基本閾値から、所定値間隔（例えば、±２０、±４０）の２値化閾値を用いて、輪郭候補生成部１０７に、輪郭候補作成を行うように要求する。
【手続補正５】
【補正対象書類名】明細書
【補正対象項目名】００３６
【補正方法】変更
【補正の内容】
【００３６】
輪郭候補生成部１０７は、設定された閾値を用いて、上述したように、要求された閾値における輪郭画像２０４を作成する。
【手続補正６】
【補正対象書類名】明細書
【補正対象項目名】００３８
【補正方法】変更
【補正の内容】
【００３８】
例えば、得られた複数輪郭画像の輪郭個数に違いがなければ、基本閾値を基にして作成した輪郭画像を第１候補とし、以下の候補を、基本閾値に近い順に提示する（例えば、＋２０，−２０，＋４０，―４０の順序）。得られた複数輪郭画像において、基本閾値の輪郭個数が少ない場合には、輪郭と背景とが一体化している可能性があると判断し、個数が多い輪郭画像の優先順位を高く設定する（同一の場合は、基本閾値に近い順で提示する）。
【手続補正７】
【補正対象書類名】特許請求の範囲
【補正対象項目名】請求項１
【補正方法】変更
【補正の内容】
【請求項１】
被加熱物を加熱する加熱部と、
前記被加熱物を収納する加熱室と、
前記加熱室内に光を照射する照明部と、
前記加熱室内の画像を撮影する撮像部と、
前記被加熱物の輪郭を表示する表示部と、
前記撮像部から前記被加熱物の画像を取得する画像取得部と、
前記画像取得部で得られた前記画像から、前記被加熱物の複数の輪郭候補を生成する輪郭候補生成部と、
前記輪郭候補生成部で得られた前記複数の輪郭候補から、前記画像取得部で得られた前記画像に基づいて、前記表示部に表示する輪郭を決定する提示輪郭決定部と、
前記提示輪郭決定部で決定された輪郭毎に、加熱目標を設定する加熱目標設定部と、
前記加熱部と、前記照明部と、前記撮像部と、前記表示部と、前記画像取得部と、前記提示輪郭決定部と、前記加熱目標設定部とを制御する制御部と、
を備えた、加熱調理器。
【手続補正８】
【補正対象書類名】特許請求の範囲
【補正対象項目名】請求項２
【補正方法】変更
【補正の内容】
【請求項２】
前記提示輪郭決定部が提示する前記輪郭内の食品認識を行う食品認識部と、
前記食品認識部の認識結果に基づき、前記加熱目標として前記表示部に表示される表示温度を確定する表示温度確定部と、
をさらに備えた
請求項１に記載の加熱調理器。
【国際調査報告】
2019208284.tif 000009
2019208284.tif 000010
2019208284.tif 000011